(57)【要約】  ユーザ機器は、センシングウィンドウ内で複数のキャリアの複数のリソースプールをセンシングするセンサと、センシング結果に従って、リソース選択ウィンドウ内で複数のキャリアの複数の利用可能なリソースを取得するリソースセレクタであり、複数の利用可能なリソースが、リソース選択ウィンドウ内で複数のキャリアの少なくとも１つのリソースプールに含まれており、リソースセレクタが、少なくとも１つのリソースプールの優先順位および少なくとも１つのパケットの優先順位の少なくとも一方に従って、リソース選択ウィンドウ内で複数のキャリアの複数の利用可能なリソースから少なくとも１つのリソースを選択するように動作し、リソース選択ウィンドウの長さが、所望のレイテンシに従って決定される、リソースセレクタと、リソースセレクタにより選択された少なくとも１つのリソース上で少なくとも１つのパケットを送信する送信機と、を備える。
2020519040.tif 000002
【特許請求の範囲】
【請求項１】
サイドリンクにおいて少なくとも１つのパケットを送信するために少なくとも１つのリソースを複数のキャリアにまたがって選択するユーザ機器（ＵＥ）であって、
センシングウィンドウ内で前記複数のキャリアの複数のリソースプールをセンシングし、センシング結果を得るセンサであり、前記センシングウィンドウの長さが設定可能または事前設定可能である、センサと、
前記センシング結果に従って、リソース選択ウィンドウ内で前記複数のキャリアの複数の利用可能なリソースを取得するリソースセレクタであり、前記複数の利用可能なリソースが、前記リソース選択ウィンドウ内で前記複数のキャリアの少なくとも１つのリソースプールに含まれており、前記リソースセレクタが、前記少なくとも１つのリソースプールの優先順位および前記少なくとも１つのパケットの優先順位の少なくとも一方に従って、前記リソース選択ウィンドウ内で前記複数のキャリアの前記複数の利用可能なリソースから少なくとも１つのリソースを選択するように動作し、前記リソース選択ウィンドウの長さが、所望のレイテンシに従って決定される、リソースセレクタと、
前記リソースセレクタにより選択された前記少なくとも１つのリソース上で前記少なくとも１つのパケットを送信する送信機と、
を備えた、ユーザ機器。
【請求項２】
前記リソースセレクタが、前記ユーザ機器がサイドリンクにおいて同時に受信および送信可能であるかについての前記ユーザ機器の能力に基づいて、前記センシングウィンドウ内の非モニタリングリソースを決定するように動作し、前記ユーザ機器が同時に受信および送信可能でない場合、あるサブフレームにおける前記センシングウィンドウ内の第２のキャリアの第２のリソースが送信に用いられる場合には、同じサブフレームにおける前記センシングウィンドウ内の第１のキャリアの第１のリソースが前記非モニタリングリソースとして決定される、
請求項１に記載のユーザ機器。
【請求項３】
前記リソースセレクタが、前記少なくとも１つのリソースプールの前記優先順位と前記少なくとも１つのパケットの前記優先順位との関係に従ってリソースプールを選択するように動作し、前記リソースセレクタが、少なくとも１つの選択リソースプールとして、前記少なくとも１つのパケットの前記優先順位よりも優先順位が高くないリソースプールを選択するとともに、前記少なくとも１つの選択リソースプールから前記少なくとも１つのリソースを選択して前記少なくとも１つのパケットを送信し、前記少なくとも１つのパケットの前記優先順位が、前記少なくとも１つのパケットの論理チャネルの優先順位または前記少なくとも１つのパケットの上位レイヤの優先順位により示される、
請求項１に記載のユーザ機器。
【請求項４】
前記リソースセレクタが、前記少なくとも１つのリソースプールが同じ優先順位を有する場合に、前記少なくとも１つのリソースプールの前記利用可能なリソースの時間系列に基づいて、前記少なくとも１つのリソースプールから前記少なくとも１つのリソースを選択する、
請求項１に記載のユーザ機器。
【請求項５】
前記リソースセレクタが、前記少なくとも１つのリソースプールが同じ優先順位を有する場合に、前記少なくとも１つのリソースプールのチャネルビジー率（ＣＢＲ）およびチャネル占有率（ＣＲ）の少なくとも一方に基づいて、前記少なくとも１つのリソースプールから前記少なくとも１つのリソースを選択する、
請求項１に記載のユーザ機器。
【請求項６】
前記ユーザ機器が同時に受信および送信可能でない場合に、前記ユーザ機器の受信または送信を判定する受信／送信判定器をさらに備えた、
請求項１に記載のユーザ機器。
【請求項７】
前記受信／送信判定器が、前記ユーザ機器が同時に受信および送信可能でない場合に、前記送信が受信の優先順位よりも高い優先順位を有するものと判定する、
請求項６に記載のユーザ機器。
【請求項８】
前記受信／送信判定器が、前記少なくとも１つのリソースプールの優先順位または前記少なくとも１つのパケットの前記優先順位と組み合わされた前記少なくとも１つのリソースプールの前記優先順位に従って、受信または送信を判定する、
請求項６に記載のユーザ機器。
【請求項９】
前記少なくとも１つのリソースプールの優先順位および前記少なくとも１つのパケットの前記優先順位の少なくとも一方に従って、電力を前記少なくとも１つのリソースプールに割り当てる電力割り当て器をさらに備えた、
請求項１に記載のユーザ機器。
【請求項１０】
前記少なくとも１つのリソースプールのＣＢＲおよび優先順位に基づいて、前記少なくとも１つのリソースプールの電力制限を決定する電力制限決定器をさらに備えた、
請求項１に記載のユーザ機器。
【請求項１１】
ユーザ機器（ＵＥ）により、サイドリンクにおいて少なくとも１つのパケットを送信するために少なくとも１つのリソースを複数のキャリアにまたがって選択する方法であって、
センシングウィンドウ内で前記複数のキャリアの複数のリソースプールをセンシングし、センシング結果を得ることであり、前記センシングウィンドウの長さが設定可能または事前設定可能である、複数のリソースプールをセンシングし、センシング結果を得ることと、
前記センシング結果に従って、リソース選択ウィンドウ内で前記複数のキャリアの複数の利用可能なリソースを取得することであり、前記複数の利用可能なリソースが、前記リソース選択ウィンドウ内で前記複数のキャリアの少なくとも１つのリソースプールに含まれており、前記リソース選択ウィンドウの長さが、所望のレイテンシに従って決定される、複数の利用可能なリソースを取得することと、
前記少なくとも１つの利用可能なリソースプールの優先順位および前記少なくとも１つのパケットの優先順位の少なくとも一方に従って、前記リソース選択ウィンドウ内で前記複数のキャリアの前記複数の利用可能なリソースから少なくとも１つのリソースを選択することと、
選択した前記少なくとも１つのリソース上で前記少なくとも１つのパケットを送信することと、
を含む、方法。
【請求項１２】
前記センシング結果に従って、リソース選択ウィンドウ内で前記複数のキャリアの複数の利用可能なリソースを取得する前記ステップが、
前記ユーザ機器がサイドリンクにおいて同時に受信および送信可能であるかについての前記ユーザ機器の能力に基づいて、前記センシングウィンドウ内の非モニタリングリソースを決定することを含み、
前記ユーザ機器が同時に受信および送信可能でない場合、前記ユーザ機器がサイドリンクにおいて同時に受信および送信可能であるかについての前記ユーザ機器の能力に基づいて、前記センシングウィンドウ内の非モニタリングリソースを決定する前記ステップが、
あるサブフレームにおける前記センシングウィンドウ内の第２のキャリアの第２のリソースが送信に用いられる場合、同じサブフレームにおける前記センシングウィンドウ内の第１のキャリアの第１のリソースを前記非モニタリングリソースとして決定することを含む、
請求項１１に記載の方法。
【請求項１３】
前記少なくとも１つの利用可能なリソースプールの優先順位および前記少なくとも１つのパケットの優先順位の少なくとも一方に従って、前記リソース選択ウィンドウ内で前記複数のキャリアの前記複数の利用可能なリソースから少なくとも１つのリソースを選択する前記ステップが、
前記少なくとも１つのリソースプールの前記優先順位と前記少なくとも１つのパケットの前記優先順位との関係に従ってリソースプールを選択することであり、少なくとも１つの選択リソースプールとして、前記少なくとも１つのパケットの前記優先順位よりも優先順位が高くないリソースプールが選択される、リソースプールを選択することと、
前記少なくとも１つの選択リソースプールから前記少なくとも１つのリソースを選択して前記少なくとも１つのパケットを送信することと、
を含み、
前記少なくとも１つのパケットの前記優先順位が、前記少なくとも１つのパケットの論理チャネルの優先順位または前記少なくとも１つのパケットの上位レイヤの優先順位により示される、
請求項１１に記載の方法。
【請求項１４】
前記少なくとも１つの利用可能なリソースプールの優先順位および前記少なくとも１つのパケットの優先順位の少なくとも一方に従って、前記リソース選択ウィンドウ内で前記複数のキャリアの前記複数の利用可能なリソースから少なくとも１つのリソースを選択する前記ステップが、
前記少なくとも１つのリソースプールが同じ優先順位を有する場合に、前記少なくとも１つのリソースプールの前記利用可能なリソースの時間系列に基づいて、前記少なくとも１つのリソースプールから前記少なくとも１つのリソースを選択することを含む、
請求項１１に記載の方法。
【請求項１５】
前記少なくとも１つの利用可能なリソースプールの優先順位および前記少なくとも１つのパケットの優先順位の少なくとも一方に従って、前記リソース選択ウィンドウ内で前記複数のキャリアの前記複数の利用可能なリソースから少なくとも１つのリソースを選択する前記ステップが、
前記少なくとも１つのリソースプールが同じ優先順位を有する場合に、前記少なくとも１つのリソースプールのチャネルビジー率（ＣＢＲ）およびチャネル占有率（ＣＲ）の少なくとも一方に基づいて、前記少なくとも１つのリソースプールから前記少なくとも１つのリソースを選択することを含む、
請求項１１に記載の方法。
【請求項１６】
前記ユーザ機器が同時に受信および送信可能でない場合に、前記ユーザ機器の受信または送信を判定することをさらに含む、
請求項１１に記載の方法。
【請求項１７】
前記ユーザ機器が同時に受信および送信可能でない場合に、前記ユーザ機器の受信または送信を判定する前記ステップが、
前記ユーザ機器が同時に受信および送信可能でない場合に、前記送信が受信の優先順位よりも高い優先順位を有するものと判定することを含む、
請求項１６に記載の方法。
【請求項１８】
前記ユーザ機器が同時に受信および送信可能でない場合に、前記ユーザ機器の受信または送信を判定する前記ステップが、
前記少なくとも１つのリソースプールの優先順位または前記少なくとも１つのパケットの前記優先順位と組み合わされた前記少なくとも１つのリソースプールの前記優先順位に従って、受信または送信の優先順位を判定することを含む、
請求項１６に記載の方法。
【請求項１９】
前記少なくとも１つのリソースプールの優先順位および前記少なくとも１つのパケットの前記優先順位の少なくとも一方に従って、電力を前記少なくとも１つのリソースプールに割り当てることをさらに含む、
請求項１１に記載の方法。
【請求項２０】
前記少なくとも１つのリソースプールのＣＢＲおよび優先順位に基づいて、前記少なくとも１つのリソースプールの電力制限を決定することをさらに含む、
請求項１１に記載の方法。
【発明の詳細な説明】
【技術分野】
【０００１】
本開示は、無線通信の分野に関し、より詳細には、サイドリンクにおいて少なくとも１つのパケットを送信するために少なくとも１つのリソースを複数のキャリアにまたがって選択するユーザ機器および方法に関する。
【背景技術】
【０００２】
ｅＶ２Ｘ（拡張Ｖ２Ｘ）作業項目においては、複数のキャリアにまたがるＰＣ５動作が目的となる。
【発明の概要】
【発明が解決しようとする課題】
【０００３】
しかし、ユーザ機器が自律スケジューリング方式で動作するモード４動作においては、センシング、キャリア／リソース選択、電力管理、複数のキャリアの場合の送受信間の衝突処理の方法が明確になっていない。
【課題を解決するための手段】
【０００４】
一般的な一態様においては、サイドリンクにおいて少なくとも１つのパケットを送信するために少なくとも１つのリソースを複数のキャリアにまたがって選択するユーザ機器（ＵＥ：Ｕｓｅｒ  Ｅｑｕｉｐｍｅｎｔ）であって、センシングウィンドウ内で複数のキャリアの複数のリソースプールをセンシングし、センシング結果を得るセンサであり、センシングウィンドウの長さが設定可能または事前設定可能である、センサと、センシング結果に従って、リソース選択ウィンドウ内で複数のキャリアの複数の利用可能なリソースを取得するリソースセレクタであり、複数の利用可能なリソースが、リソース選択ウィンドウ内で複数のキャリアの少なくとも１つのリソースプールに含まれており、リソースセレクタが、少なくとも１つのリソースプールの優先順位および少なくとも１つのパケットの優先順位の少なくとも一方に従って、リソース選択ウィンドウ内で複数のキャリアの複数の利用可能なリソースから少なくとも１つのリソースを選択するように動作し、リソース選択ウィンドウの長さが、所望のレイテンシに従って決定される、リソースセレクタと、リソースセレクタにより選択された少なくとも１つのリソース上で少なくとも１つのパケットを送信する送信機と、を備えた、ユーザ機器が提供される。
【０００５】
一般的な別の態様においては、ユーザ機器（ＵＥ）により、サイドリンクにおいて少なくとも１つのパケットを送信するために少なくとも１つのリソースを複数のキャリアにまたがって選択する方法であって、センシングウィンドウ内で複数のキャリアの複数のリソースプールをセンシングし、センシング結果を得ることであり、センシングウィンドウの長さが設定可能または事前設定可能である、複数のリソースプールをセンシングし、センシング結果を得ることと、センシング結果に従って、リソース選択ウィンドウ内で複数のキャリアの複数の利用可能なリソースを取得することであり、複数の利用可能なリソースが、リソース選択ウィンドウ内で複数のキャリアの少なくとも１つのリソースプールに含まれており、リソース選択ウィンドウの長さが、所望のレイテンシに従って決定される、複数の利用可能なリソースを取得することと、少なくとも１つの利用可能なリソースプールの優先順位および少なくとも１つのパケットの優先順位の少なくとも一方に従って、リソース選択ウィンドウ内で複数のキャリアの複数の利用可能なリソースから少なくとも１つのリソースを選択することと、選択した少なくとも１つのリソース上で少なくとも１つのパケットを送信することと、を含む、方法が提供される。
【０００６】
一般的な実施形態または特定の実施形態がシステム、方法、集積回路、コンピュータプログラム、記憶媒体、またはこれらの任意選択的な組み合わせとして実現されるようになっていてもよいことに留意されたい。
【０００７】
開示の実施形態の別の利益および利点については、本明細書および図面から明らかとなるであろう。これらの利益および／または利点については、本明細書および図面の種々実施形態および特徴によって個別に得られるようになっていてもよく、このような利益および／または利点のうちの１つまたは複数を得るのに、上記のすべてが提供される必要はない。
【図面の簡単な説明】
【０００８】
【図１】従来技術におけるセンシングウィンドウ内で１つのキャリアのリソースをセンシングする一例を模式的に示した図である。
【図２】本開示の一実施形態に係る、ユーザ機器のブロック図の一例を模式的に示した図である。
【図３】本開示の一実施形態に係る、リソース選択ウィンドウ内の複数のキャリアの複数のリソースプールの利用可能なリソースの一例を模式的に示した図である。
【図４】本開示の一実施形態に係る、センシングウィンドウ内で複数のキャリアの複数の非モニタリングリソースを決定する一例を模式的に示した図である。
【図５】本開示の一実施形態に係る、リソース選択ウィンドウ内で複数のキャリアの複数のリソースプールから複数のリソースを選択する一例を模式的に示した図である。
【図６】本開示の一実施形態に係る、ユーザ機器のブロック図の一例を模式的に示した図である。
【図７】本開示の別の実施形態に係る、リソース選択ウィンドウ内で複数のキャリアの複数のリソースプールから複数のリソースを選択する一例を模式的に示した図である。
【図８】本開示の一実施形態に係る、ユーザ機器により、サイドリンクにおいて少なくとも１つのパケットを送信するために少なくとも１つのリソースを複数のキャリアにまたがって選択する方法のフローチャートを模式的に示した図である。
【発明を実施するための形態】
【０００９】
以下、通信方法、装置、およびシステムに関する図面を参照して、実施形態を説明する。本開示は、多くの異なる形態および多くの異なる順序で具現化されるようになっていてもよく、本明細書に記載の実施形態に限定されるものと解釈すべきではないことが了解される。むしろ、これらの実施形態は、本開示が完璧かつ完全となるように提供され、当業者に対して本開示を十分に伝えることになる。実際のところ、本開示は、添付の特許請求の範囲により規定される技術の範囲および主旨に含まれるこれら実施形態の代替物、改良物、および同等物を網羅することが意図される。さらに、本開示の以下の詳細な説明においては、多くの具体的詳細を記載することにより、本開示を完全に理解できるようにする。ただし、このような具体的詳細なく本開示を実施可能であることが当業者には明らかとなるであろう。
【００１０】
本明細書においては、方法のステップの順序および構成要素の構造を例示目的で与えており、何ら限定するものではない。本技術に関する以下の詳細な記述は、図示および説明を目的として提示する。これは、網羅性を意図したものでもなければ、開示の厳密な形態に本技術を限定することを意図したものでもない。上記教示内容に照らして、多くの改良および変形が可能となる。記載の実施形態は、本技術の原理およびその実際の用途を最もよく説明することにより、当業他者が種々実施形態において本技術を最もよく利用できるようにするとともに、考え得る特定の使用に適した種々改良を行えるように選定したものである。本技術の範囲は、本明細書に添付の特許請求の範囲によって規定されるものとする。
【００１１】
リリース１４仕様によれば、センシングウィンドウ内での送信等のためにユーザ機器がモニタリングできないサブフレームについては、リソース選択ウィンドウ内で関連するリソースが選択されない場合がある。図１は、従来技術におけるセンシングウィンドウ内で１つのキャリアのリソースをセンシングする一例を示している。図１に示すように、１つのキャリアがセンシングウィンドウにおいてセンシングされ、センシングウィンドウ中のキャリアは、複数のリソースを含んでいてもよい。サブフレーム＃ａにおいては、リソースが送信に用いられる。ユーザ機器は、リソースが送信に用いられることから、サブフレーム＃ａ中のリソースをモニタリングしない。このため、一定の周期性が存在するものと仮定して、サブフレーム＃ｂ中のリソース選択ウィンドウにおいては、リソースを選択することができない。衝突が一切ない場合は、サブフレーム＃ｃ中のリソースを選択可能である。
【００１２】
ただし、複数のキャリアの場合は、選択用のリソース選択ウィンドウにおいて利用可能なリソースを取得する方法が明確ではない。さらに、ＲＦコンポーネントの制限または要件により、ユーザ機器は、サイドリンクにおいてパケットを同時に送信および受信可能であるかについて、異なる能力を有する場合がある。たとえば、帯域内の複数のキャリアのようにキャリアが非常に近い場合、ユーザ機器は、同時に送信および受信することができない。一方、帯域間の複数のキャリアのようにキャリアが互いに十分離れている場合、ユーザ機器は、同時に送信および受信することができる。ただし、能力が異なるユーザ機器について、複数のキャリアの場合、現行のセンシングメカニズムでは不十分である。
【００１３】
電力割り当ておよび最大電力制限に関して、リリース１４仕様は、単一のキャリアの最大電力制限しか規定していない。ただし、複数のキャリアの場合は、キャリアそれぞれについての最大電力制限が不明確である。さらに、複数のキャリアにまたがる電力割り当ての場合は、複数のキャリア間で電力を割り当てる効率的な方法を採用してＱｏＳを保証する必要がある。
【００１４】
さらに、レイテンシの要件を満たすとともにＱｏＳを保証するため、リソース選択ウィンドウにおいて、特に複数のキャリアのリソースを効率的に選択する必要がある。
【００１５】
図２は、本開示の一実施形態に係る、ユーザ機器２００のブロック図の一例を模式的に示している。
【００１６】
本実施形態において、ユーザ機器は、複数のキャリアにまたがって、ｅＶ２ＸのＵＥ自律スケジューリング方式で動作する（モード４動作）。各キャリアは、少なくとも１つのリソースプールを含んでいてもよく、各リソースプールは、ユーザ機器に対してパケットを送信する複数のリソースを含む。
【００１７】
図２に示すように、ユーザ機器２００は、センサ２１０、リソースセレクタ２２０、および送信機２３０を具備する。一実施形態において、センサ２１０は、センシングウィンドウ内で複数のキャリアの複数のリソースプールをセンシングし、センシング結果を得るようにしてもよく、センシングウィンドウの長さが設定可能または事前設定可能である。一実施形態において、リソースセレクタ２２０は、センシング結果に従って、リソース選択ウィンドウ内で複数のキャリアの複数の利用可能なリソースを取得するようにしてもよく、複数の利用可能なリソースが、リソース選択ウィンドウ内で複数のキャリアの少なくとも１つのリソースプールに含まれている。リソースセレクタは、少なくとも１つのリソースプールの優先順位および少なくとも１つのパケットの優先順位の少なくとも一方に従って、リソース選択ウィンドウ内で複数のキャリアの複数の利用可能なリソースから少なくとも１つのリソースを選択するように動作し、リソース選択ウィンドウの長さが所望のレイテンシに従って決定される。また、一実施形態において、送信機２３０は、リソースセレクタ２１０により選択された少なくとも１つのリソース上で少なくとも１つのパケットを送信するようにしてもよい。
【００１８】
一実施形態において、センサ２１０は、センシングウィンドウ内で複数のキャリアの複数のリソースプールをセンシングし、センシング結果を得るようにしてもよく、センシングウィンドウの長さが設定可能または事前設定可能である。センシング結果は、キャリアのリソースの状況を示していてもよい。センシング結果は、リソースセレクタ２２０が利用する別のリソース選択のため、リソースのＳ−ＲＳＲＰ（サイドリンク参照信号受信電力）およびＳ−ＲＳＳＩ（サイドリンク受信信号強度インジケータ）を含んでいてもよい。
【００１９】
リソースセレクタ２２０は、センシング結果に従って、リソース選択ウィンドウ内で複数のキャリアの複数の利用可能なリソースを取得するようにしてもよく、複数の利用可能なリソースが、リソース選択ウィンドウ内で複数のキャリアの少なくとも１つのリソースプールに含まれている。リソースセレクタ２２０は、センシング結果に基づいて、利用可能なリソースを選択する。リソースセレクタ２２０は、Ｓ−ＲＳＲＰが比較的高いリソース選択ウィンドウ内のリソースを除外する。
【００２０】
図３は、本開示の一実施形態に係る、リソース選択ウィンドウ内の複数のキャリアの複数のリソースプールの利用可能なリソースの一例を模式的に示している。図３に示すように、各キャリアＣＣｉについて、センシング結果が得られる（図３に示すように、１≦ｉ≦３）。簡素化のため、図３に示す各キャリアＣＣｉは１つのリソースプールを含み、本明細書においては３つのキャリアを示している。ただし、用途の要件に応じて、任意数のリソースプールが各キャリアに含まれていてもよいことが了解されるものとする。たとえば、図３に示すように、リソースセレクタ２２０によるセンシング後、キャリアＣＣ１に対して利用可能なリソースＲ１−１およびＲ１−２が取得され、リソースセレクタ２２０によるセンシング後、キャリアＣＣ２に対して利用可能なリソースＲ２−１およびＲ２−２が取得され、リソースセレクタ２２０によるセンシング後、キャリアＣＣ３に対して利用可能なリソースＲ３−１およびＲ３−２が取得される。利用可能なすべてのリソースがリソース選択ウィンドウ内にあり、リソースセレクタ２２０によってさらに選択されるが、これについては、以下に詳しく説明する。
【００２１】
一実施形態において、リソースセレクタ２２０は、ユーザ機器がサイドリンクにおいてパケットを同時に受信および送信可能であるかに基づいて、センシングウィンドウ内の非モニタリングリソースを決定するようにしてもよい。
【００２２】
より具体的に、ユーザ機器２００がサイドリンクにおいてパケットを同時に受信および送信する場合（たとえば帯域間の複数のキャリアの場合で、たとえば１つの帯域が約２ＧＨｚ以下、別の帯域が約５ＧＨｚ以下の場合）、リソースセレクタ２２０は、センシングウィンドウ内の非モニタリングリソースを独立して決定するようにしてもよい。そして、ユーザ機器がサイドリンクにおいて同時に受信および送信できない場合（たとえば、帯域内の複数のキャリアの場合）、リソースセレクタ２２０は、その他のキャリアの送信状況に関連して、センシングウィンドウ内の非モニタリングリソースを決定する。あるサブフレームにおけるセンシングウィンドウ内の第２のキャリアの第２のリソースが送信に用いられる場合は、同じサブフレームにおけるセンシングウィンドウ内の第１のキャリアの第１のリソースが非モニタリングリソースとして決定される。
【００２３】
図４は、本開示の一実施形態に係る、センシングウィンドウ内で複数のキャリアの複数の非モニタリングリソースを決定する一例を模式的に示している。図４は、ユーザ機器がサイドリンクにおいてパケットを同時に受信および送信できない場合に、センシングウィンドウ内の複数の非モニタリングリソースを決定する一例を示している。図４に示すように、センシングウィンドウには３つのキャリアＣＣ１〜ＣＣ３が存在し、簡素化のため、各キャリアが１つのリソースプールを含む。センシングウィンドウのサブフレーム＃Ｘにおいては、キャリアＣＣ１のリソースＲ１−ｔが送信に用いられる。したがって、リソースセレクタ２２０により、第２のキャリアＣＣ２の同じサブフレーム＃ＸのリソースＲ２−ｎ１が非モニタリングと決定され、リソースセレクタ２２０により、第３のキャリアＣＣ３の同じサブフレーム＃ＸのリソースＲ３−ｎ１も非モニタリングと決定される。同様に、サブフレーム＃Ｙにおいては、リソースＲ２−ｔが送信に用いられるため、サブフレーム＃ＹのリソースＲ１−ｎ１およびＲ３−ｎ２が非モニタリングと決定され、サブフレーム＃Ｚにおいては、リソースＲ３−ｔが送信に用いられるため、サブフレーム＃ＺのリソースＲ１−ｎ２およびＲ２−ｎ２が非モニタリングと決定される。したがって、非モニタリングリソースに対応するリソース（図４において、リソース選択ウィンドウにドットを含むブロックとして示す）は、リソース選択ウィンドウ内で選択され得ない。
【００２４】
ユーザ機器がサイドリンクにおいてパケットを同時に送信および受信できない場合は、センシングウィンドウにおけるその他のキャリアの送信状況に関連してキャリアそれぞれの非モニタリングを決定することにより、異なる周波数におけるユーザ機器の能力に基づいて選択メカニズムを最適化できるため都合が良い。図４においては、サブフレームの１つのリソースだけを送信用として示しているが、これは図示を目的としているに過ぎず、何ら限定的なものではない。センシングウィンドウ内の任意のキャリアの異なるサブフレームの任意数のリソースが送信に用いられるようになっていてもよく、また、それに応じて、他のキャリアの非モニタリングリソースが決定されるようになっていてもよい。
【００２５】
ユーザ機器２００のリソースセレクタ２２０は、少なくとも１つのリソースプールの優先順位および少なくとも１つのパケットの優先順位の少なくとも一方に従って、リソース選択ウィンドウ内で複数のキャリアの複数の利用可能なリソースから少なくとも１つのリソースを選択するようにしてもよい。
【００２６】
より具体的に、リソースセレクタ２２０は、リソース選択ウィンドウ内のキャリアの複数のリソースプールの優先順位と少なくとも１つのパケットの優先順位との関係に従ってリソースプールを選択し、少なくとも１つの選択リソースプールとして、少なくとも１つのパケットの優先順位よりも優先順位が高くないリソースプールを選択し、少なくとも１つの選択リソースプールから少なくとも１つのリソースを選択して少なくとも１つのパケットを送信することができる。一実施形態において、少なくとも１つのパケットの優先順位は、少なくとも１つのパケットの論理チャネルの優先順位または少なくとも１つのパケットの上位レイヤの優先順位により示される。
【００２７】
本開示の一実施形態に係る、リソース選択ウィンドウ内の複数のキャリアの複数のリソースプールの利用可能なリソースの一例を模式的に示す図３を再び参照して、各キャリアは１つのリソースプールを含み、各リソースプールが対応する優先順位を有する。具体的には、キャリアＣＣ１のリソースプールＲＰ１が優先順位ａを有し、キャリアＣＣ２のリソースプールＲＰ２が優先順位ｂを有し、キャリアＣＣ３のリソースプールＲＰ３が優先順位ｃを有し、ＲＰ１の優先順位がＲＰ２の優先順位よりも高く、ＲＰ２の優先順位がＲＰ３の優先順位よりも高い（たとえば、ａ＝１、ｂ＝２、ｃ＝３）。送信されるパケットの優先順位をｄと仮定する。優先順位ｄ＝３の場合、これは、送信されるパケットの優先順位ｄが最も低いもののＲＰ３の優先順位には等しいことを意味するが、この場合にリソースセレクタ２２０は、選択リソースプールとして、キャリアＣＣ３のリソースプールＲＰ３のみを選択する。優先順位ｄ＝２の場合、これは、ＲＰ２の優先順位ｂおよびＲＰ３の優先順位ｃが優先順位ｄよりも高くないことを意味するが、この場合にリソースセレクタ２２０は、選択リソースプールとして、キャリアＣＣ２のリソースプールＲＰ２およびキャリアＣＣ３のリソースプールＲＰ３を選択する。優先順位ｄ＝１の場合、これは、最も高い優先順位であり、ＲＰ１の優先順位ａ、ＲＰ２の優先順位ｂ、およびＲＰ３の優先順位ｃが優先順位ｄよりも高くないことを意味するが、この場合にリソースセレクタ２２０は、選択リソースプールとして、キャリアＣＣ１のリソースプールＲＰ１、キャリアＣＣ２のリソースプールＲＰ２、およびキャリアＣＣ３のリソースプールＲＰ３を選択し、選択リソースプールの中で、キャリアＣＣ１のリソースプールＲＰ１の優先順位が最も高いことから、ＲＰ１がパケットの最初の送信に選択されるようになっていてもよい。
【００２８】
図３に示す利用可能なリソースは、図示を目的としているに過ぎない。また、用途の要件に応じて、リソース選択ウィンドウ中のキャリアの任意のサブフレームの任意数の利用可能なリソースを適用可能であることが了解されるものとする。
【００２９】
リソースプールが選択された後、リソースセレクタ２２０は、選択リソースプールから少なくとも１つのリソースを選択して、少なくとも１つのパケットを送信するようにしてもよい。
【００３０】
一実施形態において、送信されるパケットの優先順位は、パケットの論理チャネルの優先順位により示される。ＭＡＣ  ＰＤＵが複数の論理チャネルを含む場合は、ある論理チャネルの優先順位がＭＡＣ  ＰＤＵの優先順位として選択されるようになっていてもよい。たとえば、論理チャネル中の最も高い優先順位、論理チャネル中の最も低い優先順位をＭＡＣ  ＰＤＵの優先順位として選択可能であり、これがさらに、パケットの優先順位を指定する。また、論理チャネルの優先順位の中で優先順位を選択する他の方法があることが了解されるものとする。たとえば、論理チャネルの優先順位の平均がＭＡＣ  ＰＤＵの優先順位として選択されるようになっていてもよい。別の実施形態においては、パケットの上位レイヤの優先順位がパケットの優先順位を指定するようにしてもよい。上位レイヤは、パケットのレイヤ３（ＲＲＣ）よりも高いアプリケーションレイヤであってもよい。
【００３１】
リソースプールの優先順位と少なくとも１つのパケットの優先順位との関係に従って少なくとも１つの選択リソースプールを選択することにより、通信のレイテンシ、信頼性等のＱｏＳが保証されるため都合がよい。
【００３２】
一実施形態においては、リソースプールの優先順位に従って、リソース選択ウィンドウ内の異なるキャリアのリソースプールが同じ優先順位を有する場合、リソースセレクタ２２０は、リソースプールの利用可能なリソースの時間系列に従って、リソース選択ウィンドウ中のキャリアのリソースプールから、少なくとも１つのパケットを送信する少なくとも１つのリソースを選択するようにしてもよい。少なくとも１つのパケットを送信するリソースとして、過去に選択されたリソースに対する時間遅延が最も少ないリソースが選択される。
【００３３】
図５は、本開示の一実施形態に係る、リソース選択ウィンドウ内で複数のキャリアの複数のリソースプールから複数のリソースを選択する一例を模式的に示している。図５に示すように、リソース選択ウィンドウ内の各キャリアの各リソースプールは、同じ優先順位を有する。簡素化のため、図５の各キャリアは、１つのリソースプールを含む。各キャリアは、複数のリソースプールを含んでいてもよいことが了解されるものとする。センシングウィンドウ内でキャリアのリソースプールをセンシングした後、リソース選択ウィンドウ内のキャリアに対して、利用可能なリソースが取得される。図５に示すように、キャリアＣＣ１に対して利用可能なリソースｒ１１、ｒ１２、およびｒ１３が取得され、キャリアＣＣ２に対して利用可能なリソースｒ２１およびｒ２２が取得され、キャリアＣＣ３に対して利用可能なリソースｒ３１およびｒ３２が取得される。選択を実行する場合、リソースセレクタ２２０は、開始リソースとしてリソースｒ１１を最初に選択する。次に、リソースｒ１１に対する時間遅延が最も少ないリソースｒ３１が選択された後、リソースｒ２１が選択される。そして、過去に選択されたリソースに対する時間遅延に従って、ｒ１２、ｒ１３、ｒ２２、およびｒ３２が順次選択される。
【００３４】
リソースｒ１１およびｒ３１が同じサブフレームであり、ｒ１２およびｒ２１が同じサブフレームであり、リソースｒ１３、ｒ２２、およびｒ３２が同じサブフレームであるものとして示しているが、図５に示すリソース配置は、図示を目的としているに過ぎず、本明細書においては、これらリソースの他の配置も利用可能であることが了解されるものとする。
【００３５】
利用可能なリソースの時間系列に基づいてリソースを選択することにより、レイテンシを保証することができる。
【００３６】
別の実施形態においては、リソースプールの優先順位に従って、異なるキャリアのリソースプールが同じ優先順位を有する場合、リソースセレクタ２２０は、リソースプールそれぞれのチャネルビジー率（ＣＢＲ）およびチャネル占有率（ＣＲ）の少なくとも一方に従って、リソースプールから少なくとも１つのパケットを選択するようにしてもよい。
【００３７】
一実施形態において、リソースプールそれぞれのＣＢＲは、ＣＢＲ測定により得られたＣＢＲ測定結果であってもよく、リソースプールそれぞれの状況を示す。ＣＢＲ測定のウィンドウサイズは、リソース選択手順におけるセンシングとは異なっていてもよい。たとえば、センシングのウィンドウサイズが１秒である一方、ＣＢＲ測定のウィンドウサイズは、わずか１００ｍｓであってもよい。ＣＲは、リソースプール自体の送信の統計値であることから、リソースセレクタ２２０が実施するＣＲ測定により直接得られるようになっていてもよい。
【００３８】
別の例において、センシング、ＣＢＲ測定、およびＣＲ測定は、異なるエンティティを用いて実施されるとともに、別個に実施されるようになっていてもよい。図６は、本開示の一実施形態に係る、ユーザ機器６００のブロック図の一例を模式的に示している。ユーザ機器６００は、センシング、ＣＢＲ測定、およびＣＲ測定をそれぞれ実施する要素を具備する。図２と類似の機能を有する要素は、同様に標識化しており、簡素化および明確化のため、繰り返し説明することはない。
【００３９】
たとえば、センシングはセンサ２１０により実施され、Ｓ−ＲＳＲＰおよびＳ−ＲＳＳＩ等のリソースの状況を示すセンシング結果が得られる。ＣＢＲ測定は、ＣＢＲ測定器６４０により実施され、各リソースプールのＣＢＲが得られる。ＣＲ測定は、ＣＲ測定器６５０により実施され、各リソースプールのＣＲが得られる。センシング、ＣＢＲ測定、およびＣＲ測定は、センサ２１０、ＣＢＲ測定器６４０、およびＣＲ測定器６５０によってそれぞれ実施され、センシング、ＣＢＲ測定、およびＣＲ測定の実施は、互いに分離されている。
【００４０】
各リソースプールは、リソースプールのビジー率を示すＣＢＲを有する。一実施形態において、リソースセレクタ２２０は、ＣＢＲが最も低いリソースプールを選択して、少なくとも１つのパケットを送信するようにしてもよい。リソースセレクタ２２０は、ＣＢＲに従ってリソース選択ウィンドウ内のリソースプールをランク付けし、ＣＢＲの昇順に従って複数のリソースプールのリソースを選択することにより、複数のパケットを送信するようにしてもよい。一実施形態において、リソースプールが選択された場合は、選択リソースプールに対するリソースの選択に別のルールが用いられるようになっていてもよい。この別のルールによれば、リソースのＳ−ＲＳＳＩ、上述のようなリソースの時間系列等、またはこれらの組み合わせに基づいてリソースを選択することができる。
【００４１】
図７は、本開示の別の実施形態に係る、リソース選択ウィンドウ内で複数のキャリアの複数のリソースプールから複数のリソースを選択する一例を模式的に示している。図７に示すように、各キャリアの各リソースプールは、同じ優先順位を有する。センシングウィンドウ内でキャリアのリソースプールをセンシングした後、リソース選択ウィンドウ内のキャリアに対して、利用可能なリソースが取得される。図７に示すように、キャリアＣＣ１に対して利用可能なリソースｒ’１１、ｒ’１２、およびｒ’１３が取得され、キャリアＣＣ２に対して利用可能なリソースｒ’２１およびｒ’２２が取得され、キャリアＣＣ３に対して利用可能なリソースｒ’３１およびｒ’３２が取得される。リソース選択ウィンドウ内の各リソースプールは、ＣＢＲを有する。たとえば、キャリアＣＣ１のリソースプールのＣＢＲがＣＢＲ１であり、キャリアＣＣ２のリソースプールのＣＢＲがＣＢＲ２であり、キャリアＣＣ３のリソースプールのＣＢＲがＣＢＲ３である。一実施形態においては、ＣＢＲ２＜ＣＢＲ１＜ＣＢＲ３とする。そして、図７に示すように、リソースセレクタ２２０は、キャリアＣＣ２のリソースプールのＣＢＲが最も低いことから、キャリアＣＣ２のリソースを最初に選択する。その後、キャリアＣＣ１のリソースが選択され、キャリアＣＣ３のリソースが選択される。
【００４２】
一実施形態において、各リソースプールは、リソースプールの占有状況を示すＣＲを有する。一実施形態において、リソースセレクタ２２０は、ＣＲが最も低いリソースプールを選択して、少なくとも１つのパケットを送信するようにしてもよい。リソースセレクタ２２０は、ＣＲに従ってリソース選択ウィンドウ内の複数のキャリアのリソースプールをランク付けし、ＣＲの昇順に従って複数のリソースプールのリソースを選択することにより、複数のパケットを送信するようにしてもよい。一実施形態において、リソースプールが選択された場合は、選択リソースプールに対するリソースの選択に別のルールが用いられるようになっていてもよい。この別のルールによれば、リソースのＳ−ＲＳＳＩ、上述のようなリソースの時間系列等、またはこれらの組み合わせに基づいてリソースを選択することができる。
【００４３】
図７を参照して、リソース選択ウィンドウ内の各リソースプールがＣＲを有するものと仮定する。たとえば、キャリアＣＣ１のリソースプールのＣＲがＣＲ１であり、キャリアＣＣ２のリソースプールのＣＲがＣＲ２であり、キャリアＣＣ３のリソースプールのＣＲがＣＲ３であり、ＣＲ２＜ＣＲ１＜ＣＲ３であるものと仮定すると、図７に示すように、リソースセレクタ２２０は、キャリアＣＣ２のリソースプールのＣＲが最も低いことから、キャリアＣＣ２のリソースを最初に選択する。その後、キャリアＣＣ１のリソースが選択され、キャリアＣＣ３のリソースが選択される。
【００４４】
リソースプールのＣＢＲ／ＣＲに従ったリソース選択によって、より良い輻輳制御が実現されるため都合が良い。
【００４５】
上述の通り、リソースセレクタ２２０は、それぞれリソースプールのリソースおよびＣＢＲ／ＣＲの時間系列に基づいてリソースを選択するが、これらの任意の組み合わせに基づいてリソースを選択するようにしてもよい。
【００４６】
上記実施形態において、優先順位が同じリソースプールに対しては、リソースプールのリソースおよびＣＢＲ／ＣＲの時間系列に基づくルールが用いられるが、他の実施形態においては、優先順位が異なるリソースプールに対しても、このようなルールが用いられるようになっていてもよい。原理上は、リソースプールの優先順位に関わらず、レイテンシまたは輻輳制御の長所が得られる。
【００４７】
より具体的に、一実施形態においては、リソース選択ウィンドウ中のキャリアの優先順位が異なるリソースプールに対して、リソースセレクタ２２０は、キャリアの利用可能なリソースの時間系列に従って、少なくとも１つのリソースを選択するようにしてもよい。少なくとも１つのパケットを送信するリソースとして、過去に選択されたリソースに対する時間遅延が最も少ないリソースが選択される。
【００４８】
リソースセレクタ２２０は、利用可能なリソースの中から開始リソースを最初に選択する。たとえば、リソース選択ウィンドウ内の最も早いサブフレームのリソースが開始リソースとして選択される。その後、開始リソースに対する時間遅延が最も少ないリソースが選択される。また、少なくとも１つのパケットを送信するリソースとして、過去に選択されたリソースに対する時間遅延が最も少ない次のリソースが選択され、以下同様である。
【００４９】
利用可能なリソースの時間系列に基づいてリソースを選択することにより、レイテンシを保証することができる。
【００５０】
別の実施形態において、リソース選択ウィンドウ内の異なるキャリアのリソースプールが異なる優先順位を有する場合、リソースセレクタ２２０は、リソースプールそれぞれのチャネルビジー率（ＣＢＲ）およびチャネル占有率（ＣＲ）の少なくとも一方に従って、リソースプールから少なくとも１つのパケットを選択するようにしてもよい。
【００５１】
各リソースプールは、リソースプールのビジー率を示すＣＢＲを有する。一実施形態において、リソースセレクタ２２０は、ＣＢＲが最も低いリソースプールを選択して、パケットを送信するようにしてもよい。リソースセレクタ２２０は、ＣＢＲに従って複数のキャリアのリソースプールをランク付けし、ＣＢＲの昇順に従って複数のリソースプールのリソースを選択することにより、複数のパケットを送信するようにしてもよい。
【００５２】
別の実施形態において、各リソースプールは、リソースプールの占有状況を示すＣＲを有する。一実施形態において、リソースセレクタ２２０は、ＣＲが最も低いリソースプールを選択して、少なくとも１つのパケットを送信するようにしてもよい。リソースセレクタ２２０は、ＣＲに従って複数のキャリアのリソースプールをランク付けし、ＣＲの昇順に従って複数のリソースプールのリソースを選択することにより、複数のパケットを送信するようにしてもよい。
【００５３】
リソースプールのＣＢＲ／ＣＲに従ったリソース選択によって、より良い輻輳制御が実現されるため都合が良い。
【００５４】
上述の通り、リソースセレクタ２２０は、それぞれリソースプールのリソースおよびＣＢＲ／ＣＲの時間系列に基づいてリソースを選択するが、これらの任意の組み合わせに基づいてリソースを選択するようにしてもよい。
【００５５】
さらに、リリース１４仕様においては、センシングに基づくリソース選択手順において２つのステップが存在する。これらのステップの一方（以下、ステップ２と称する）では、リソースの状況（たとえば、リソースのＳ−ＲＳＲＰ（サイドリンク参照信号受信電力））を示すセンシング結果に基づくリソースを除外する。他方のステップ（以下、ステップ３と称する）では、リソースの状況（たとえば、リソースのＳ−ＲＳＳＩ（サイドリンク受信信号強度インジケータ））を示す別のセンシング結果に基づくリソースを選択する。
【００５６】
本開示の実施形態によれば、ステップ２およびステップ３は、複数のキャリアにまたがって通信するユーザ機器に対して改良可能である。
【００５７】
より具体的に、本開示の一実施形態によれば、複数のキャリアの場合、ユーザ機器のリソースセレクタ２２０は、キャリアごとに独立して、改良されたステップ２で動作するとともに、各キャリアにおいて、リソースの状況（たとえば、Ｓ−ＲＳＲＰ）を示すセンシング結果に従って、少なくとも１つのリソースを除外する。ユーザ機器は、キャリアごとに独立して、たとえばＳ−ＲＳＲＰに基づいて少なくとも１つのリソースを除外する。一実施形態において、リソースセレクタ２２０は、キャリアごとにＳ−ＲＳＲＰが比較的高い少なくとも１つのリソースを除外して、キャリアごとに別途選択する利用可能なリソースを取得する。
【００５８】
一実施形態において、リソースセレクタ２２０は、ユーザ機器がサイドリンクにおいてパケットを同時に送信および受信可能であるかについてのユーザ機器の能力に基づいて、各キャリアで少なくとも１つのリソースをさらに除外するようにしてもよい。たとえば、ユーザ機器がサイドリンクにおいてパケットを同時に送信も受信もできない場合、リソースセレクタ２２０は、その他のキャリアの送信状況に関連して、各キャリアで少なくとも１つのリソースをさらに除外するようにしてもよい。たとえば、あるサブフレームにおける第２のキャリアの第２のリソースが送信に用いられる場合は、同じサブフレームにおける第１のキャリアの第１のリソースが除外される。
【００５９】
リソースセレクタ２２０が各キャリアにおいて少なくとも１つのリソースを除外した後は、リソース選択ウィンドウ内での別途選択に、各キャリアの残ったリソースを利用可能である。
【００６０】
リソース選択ウィンドウ内の別途選択は、リソース選択ウィンドウ内のリソースプールの優先順位と送信されるパケットの優先順位との間の関係、リソース選択ウィンドウ内の利用可能なリソースの時間系列、リソース選択ウィンドウのリソースプールのＣＢＲ／ＣＲ、およびこれらの組み合わせに基づいて実施可能である。これらの選択手順の詳細については、上記の通りであり、ここでは簡素化のため省略する。
【００６１】
一実施形態において、ユーザ機器のリソースセレクタ２２０は、リソース選択ウィンドウ内で別途選択してパケットを送信するため、改良されたステップ３で動作するようになっていてもよい。一実施形態において、リソースセレクタ２２０は、リソースの状況（Ｓ−ＲＳＳＩ等）を示すセンシング結果に従って、リソース選択ウィンドウ内の複数のキャリアのリソースを選択する。複数のキャリアの場合、ユーザ機器のリソースセレクタ２２０は、利用可能なリソースのＳ−ＲＳＳＩに基づいて、リソース選択ウィンドウ内の複数のキャリアのすべての利用可能なリソースをランク付けし、リソースのＳ−ＲＳＳＩが最も低い複数のリソースを選択する。たとえば、選択されたリソースが第１のキャリアＣＣ１に含まれる場合、ユーザ機器は、第１のキャリアＣＣ１において少なくとも１つのパケットを送信するようにしてもよい。リソースセレクタ２２０は、利用可能なリソースのＳ−ＲＳＳＩに従って、リソース選択ウィンドウ内の複数のキャリアのすべての利用可能なリソースをランク付けし、リソースのＳ−ＲＳＳＩの昇順に従ってリソース選択ウィンドウ内の複数のキャリアのリソースを選択することにより、複数のパケットを送信するようにしてもよい。
【００６２】
あるいは、改良されたステップ３において、ユーザ機器のリソースセレクタ２２０は、上記別のルールに関連して、リソースの状況（リソースプールのＣＢＲ）を示すＣＢＲ測定結果、リソースプールのＣＲ、またはこれらの組み合わせ等に従って、リソース選択ウィンドウ内の複数のキャリアのリソースを選択するようにしてもよい。たとえば、ユーザ機器のリソースセレクタ２２０は、リソース選択ウィンドウ内の複数のキャリアのすべての利用可能なリソースプールをランク付けし、ＣＢＲ、ＣＲ、またはこれらの組み合わせの昇順に従ってリソース選択ウィンドウ内でリソースプールを選択し、上記別のルールに従ってリソースをさらに選択することにより、複数のパケットを送信する。上記開示の通り、この別のルールによれば、リソースのＳ−ＲＳＳＩ、リソースの時間系列等、またはこれらの組み合わせに基づいてリソースを選択することができる。
【００６３】
一実施形態において、改良されたステップ３での選択に用いられる利用可能なリソースには、改良されたステップ２で動作するユーザ機器のリソースセレクタ２２０により取得されたリソースを含む。利用可能なリソースの取得に関する詳細については、上記の通りであり、ここでは簡素化のため省略する。
【００６４】
一実施形態において、ユーザ機器２００は、同時に受信および送信可能でない場合にユーザ機器の受信または送信を判定する受信／送信判定器をさらに具備する。
【００６５】
複数のキャリアの場合、ユーザ機器２００は、サイドリンクにおいてパケットを同時に受信および送信できない場合がある。したがって、受信／送信判定器は、ユーザ機器が同時に受信および送信可能でない場合に、サブフレーム中の現行動作がユーザ機器の受信であるか送信であるかを判定する。一実施形態においては、ユーザ機器が同時に受信および送信可能でない場合に、送信が受信の優先順位よりも高い優先順位を有するものとするルールが事前設定される。そして、受信／送信判定器は、この事前設定されたルールに従って、ユーザ機器が同時に受信および送信可能でない場合に、送信が受信の優先順位よりも高い優先順位を有するものと判定する。
【００６６】
受信／送信判定器は、少なくとも１つのリソースプールの優先順位または送信される少なくとも１つのパケットの優先順位と組み合わされた少なくとも１つのリソースプールの優先順位に従って、受信または送信を判定するようにしてもよい。
【００６７】
より具体的に、リソース選択ウィンドウ中のキャリアの優先順位が異なるリソースプールに対しては、選択リソースプールの優先順位または少なくとも１つのパケットの優先順位と組み合わされた選択リソースプールの優先順位に基づいて、受信および送信が判定されるようになっていてもよい。たとえば、一実施形態においては、選択リソースプールが最も高い優先順位を有する場合に、ユーザ機器に対して、送信が受信の優先順位よりも高い優先順位を有するものと判定される。すなわち、ユーザ機器の現行動作は、送信と判定される。別の実施形態において、受信／送信判定器は、少なくとも１つのパケットの優先順位と組み合わされた選択リソースプールの優先順位に従って、受信または送信を判定するようにしてもよい。たとえば、選択リソースプールの優先順位が送信されるパケットの優先順位よりも低い場合は、ユーザ機器に対して、送信が受信の優先順位よりも高い優先順位を有するものと判定される。それ以外の場合は、ユーザ機器に対して、受信が送信の優先順位よりも高い優先順位を有するものと判定される。
【００６８】
リソース選択ウィンドウ中のキャリアの優先順位が同じリソースプールに対しては、リソース選択ウィンドウ中のキャリアのリソースプールの優先順位または少なくとも１つのパケットの優先順位と組み合わされた選択リソースプールの優先順位に基づいて、受信または送信が判定されるようになっていてもよい。たとえば、リソースプールが比較的高い優先順位を有する場合は、ユーザ機器に対して、送信が受信の優先順位よりも高い優先順位を有するものと判定される。すなわち、リソースプールが比較的高い優先順位を有する場合は、ユーザ機器が送信と判定される。一方、リソースプールの優先順位が送信されるパケットの優先順位よりも低い場合は、ユーザ機器に対して、送信が受信の優先順位よりも高い優先順位を有するものと判定される。それ以外の場合は、ユーザ機器に対して、受信が送信の優先順位よりも高い優先順位を有するものと判定される。
【００６９】
ユーザ機器２００の受信または送信を判定することにより、ユーザ機器がサイドリンクにおいてパケットを同時に送信および受信できない場合に、複数のキャリアの場合の衝突処理が解決される。
【００７０】
一実施形態において、ユーザ機器２００は、少なくとも１つのリソースプールの優先順位および少なくとも１つのパケットの優先順位の少なくとも一方に従って、電力を少なくとも１つのリソースプールに割り当てる電力割り当て器をさらに具備していてもよい。リソース選択ウィンドウ内のキャリアのリソースプールの優先順位に従って、電力割り当て器は、リソース選択ウィンドウ中のキャリアのリソースプールが同じ優先順位を有する場合に電力をリソースプールに割り当てるようにしてもよいし、リソース選択ウィンドウ内の異なるキャリアのリソースプールが異なる優先順位を有する場合に電力を選択リソースプールに割り当てるようにしてもよい。
【００７１】
リソースプールの優先順位に従って、リソース選択ウィンドウ中のキャリアのリソースプールが同じ優先順位を有する場合、電力割り当て器は、リソースプールのキャリアに対して一様に電力を割り当てる。
【００７２】
リソース選択ウィンドウ中のキャリアのリソースプールが異なる優先順位を有する場合、電力割り当て器は、選択リソースプールが含まれるキャリアに対して電力を割り当てる。一実施形態において、電力割り当て器は、優先順位が最も高い選択リソースプールに対して電力を割り当てる。別の実施形態において、電力割り当て器は、優先順位が最も高いパケットを送信することになる選択リソースプールに対して電力を割り当てる。
【００７３】
一実施形態において、ユーザ機器２００は、少なくとも１つのリソースプールのＣＢＲおよび優先順位に基づいて、少なくとも１つのリソースプールの電力制限を決定する電力制限決定器をさらに具備する。
【００７４】
リソース選択ウィンドウ中のキャリアの優先順が同じリソースプールに対して、電力制限決定器は、リソース選択ウィンドウ内のキャリアのリソースプールに対する最大電力を制限する。リソース選択ウィンドウ中のキャリアの優先順が異なるリソースプールに対して、電力制限決定器は、リソース選択ウィンドウ内のキャリアの選択リソースプールに対する最大電力を制限する。電力制限決定器は、少なくとも１つのリソースプールのＣＢＲおよび優先順位に基づいて、リソース選択ウィンドウ内のリソースプールまたは選択リソースプールの電力制限を決定する。
【００７５】
より具体的に、リソースプールの特定のＣＢＲの場合、各リソースプールの電力制限に関しては、特定のＣＢＲとパケットの優先順位とのマッピングが存在する。特定のＣＢＲは、リソースプールの平均ＣＢＲであってもよいし、リソースプールの最小ＣＢＲであってもよい。特定のＣＢＲおよびパケットの優先順位に基づいて、マッピングに応じた最大電力が得られる。制限決定器は、マッピングに基づいて、リソースプールの電力制限を決定する。別の実施形態においては、ＣＢＲ要件に基づいた電力制限の決定により、各キャリアの電力制限がキャリアの要件を満たすようにする。
【００７６】
図８は、本開示の一実施形態に係る、ユーザ機器により、サイドリンクにおいて少なくとも１つのパケットを送信するために少なくとも１つのリソースを複数のキャリアにまたがって選択する方法のフローチャートを模式的に示している。図８においては、具体的なステップを開示しているが、このようなステップは例である。すなわち、本開示は、他のさまざまなステップまたは図８に挙げるステップの変形を実行するのに適している。
【００７７】
図８に示すように、この方法は、センシングウィンドウ内で複数のキャリアの複数のリソースプールをセンシングし、センシング結果を得ることであり、センシングウィンドウの長さが設定可能または事前設定可能である、複数のリソースプールをセンシングし、センシング結果を得ること（ステップＳ８１０）と、センシング結果に従って、リソース選択ウィンドウ内で複数のキャリアの複数の利用可能なリソースを取得することであり、複数の利用可能なリソースが、リソース選択ウィンドウ内で複数のキャリアの少なくとも１つのリソースプールに含まれており、リソース選択ウィンドウの長さが、所望のレイテンシに従って決定される、複数の利用可能なリソースを取得すること（ステップＳ８２０）と、少なくとも１つの利用可能なリソースプールの優先順位および少なくとも１つのパケットの優先順位の少なくとも一方に従って、リソース選択ウィンドウ内で複数のキャリアの複数の利用可能なリソースから少なくとも１つのリソースを選択すること（ステップＳ８３０）と、少なくとも１つのリソース上で少なくとも１つのパケットを送信すること（ステップＳ８４０）と、を含む。
【００７８】
一実施形態において、ステップＳ８２０は、ユーザ機器がサイドリンクにおいて同時に受信および送信可能であるかについてのユーザ機器の能力に基づいて、センシングウィンドウ内の非モニタリングリソースを決定することを含んでいてもよい。ユーザ機器が同時に受信および送信可能でない場合、ユーザ機器がサイドリンクにおいて同時に受信および送信可能であるかについてのユーザ機器の能力に基づいて、センシングウィンドウ内の非モニタリングリソースを決定するステップは、あるサブフレームにおけるセンシングウィンドウ内の第２のキャリアの第２のリソースが送信に用いられる場合、同じサブフレームにおけるセンシングウィンドウ内の第１のキャリアの第１のリソースを利用不可能なリソースとして決定することを含む。
【００７９】
一実施形態において、ステップＳ８３０は、少なくとも１つのリソースプールの優先順位と少なくとも１つのパケットの優先順位との関係に従ってリソースプールを選択することであり、少なくとも１つの選択リソースプールとして、少なくとも１つのパケットの優先順位よりも優先順位が高くないリソースプールが選択される、リソースプールを選択することと、少なくとも１つの選択リソースプールから少なくとも１つのリソースを選択して少なくとも１つのパケットを送信することと、を含み、少なくとも１つのパケットの優先順位が、少なくとも１つのパケットの論理チャネルの優先順位または少なくとも１つのパケットの上位レイヤの優先順位により示される。
【００８０】
一実施形態において、ステップＳ８３０は、少なくとも１つのリソースプールが同じ優先順位を有する場合に、少なくとも１つのリソースプールの利用可能なリソースの時間系列に基づいて、少なくとも１つの選択リソースプールから少なくとも１つのリソースを選択することを含む。
【００８１】
一実施形態において、ステップＳ８３０は、少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択することを含む。
【００８２】
一実施形態において、この方法は、ユーザ機器が同時に受信および送信可能でない場合に、ユーザ機器の受信または送信を判定することをさらに含む。
【００８３】
一実施形態において、ユーザ機器が同時に受信および送信可能でない場合に、ユーザ機器の受信または送信を判定する上記ステップは、ユーザ機器が同時に受信および送信可能でない場合に、送信が受信の優先順位よりも高い優先順位を有するものと判定することを含む。
【００８４】
一実施形態において、ユーザ機器が同時に受信および送信可能でない場合に、ユーザ機器の受信または送信を判定する上記ステップは、少なくとも１つのリソースプールの優先順位または少なくとも１つのパケットの優先順位と組み合わされた少なくとも１つのリソースプールの優先順位に従って、受信または送信を判定することを含む。
【００８５】
一実施形態において、この方法は、少なくとも１つのリソースプールの優先順位および少なくとも１つのパケットの優先順位の少なくとも一方に従って、電力を少なくとも１つのリソースプールに割り当てることをさらに含む。
【００８６】
一実施形態において、この方法は、少なくとも１つのリソースプールのＣＢＲおよび優先順位に基づいて、少なくとも１つのリソースプールの電力制限を決定することをさらに含む。
【００８７】
上記説明は、本開示の例示的な実施形態に基づいたものであり、何ら限定的なものではない。
【００８８】
また、本開示の実施形態は、少なくとも以下のような手段を提供し得る。
【００８９】
（１）．サイドリンクにおいて少なくとも１つのパケットを送信するために少なくとも１つのリソースを複数のキャリアにまたがって選択するユーザ機器（ＵＥ）であって、
センシングウィンドウ内で複数のキャリアの複数のリソースプールをセンシングし、センシング結果を得るセンサであり、センシングウィンドウの長さが設定可能または事前設定可能である、センサと、
センシング結果に従って、リソース選択ウィンドウ内で複数のキャリアの複数の利用可能なリソースを取得するリソースセレクタであり、複数の利用可能なリソースが、リソース選択ウィンドウ内で複数のキャリアの少なくとも１つのリソースプールに含まれており、リソースセレクタが、少なくとも１つのリソースプールの優先順位および少なくとも１つのパケットの優先順位の少なくとも一方に従って、リソース選択ウィンドウ内で複数のキャリアの複数の利用可能なリソースから少なくとも１つのリソースを選択するように動作し、リソース選択ウィンドウの長さが所望のレイテンシに従って決定される、リソースセレクタと、
リソースセレクタにより選択された少なくとも１つのリソース上で少なくとも１つのパケットを送信する送信機と、
を備えた、ユーザ機器。
【００９０】
（２）．リソースセレクタが、ユーザ機器がサイドリンクにおいて同時に受信および送信可能であるかについてのユーザ機器の能力に基づいて、センシングウィンドウ内の非モニタリングリソースを決定するように動作し、ユーザ機器が同時に受信および送信可能でない場合、あるサブフレームにおけるセンシングウィンドウ内の第２のキャリアの第２のリソースが送信に用いられる場合には、同じサブフレームにおけるセンシングウィンドウ内の第１のキャリアの第１のリソースが非モニタリングリソースとして決定される、（１）に記載のユーザ機器。
【００９１】
（３）．リソースセレクタが、少なくとも１つのリソースプールの優先順位と少なくとも１つのパケットの優先順位との関係に従ってリソースプールを選択するように動作し、リソースセレクタが、少なくとも１つの選択リソースプールとして、少なくとも１つのパケットの優先順位よりも優先順位が高くないリソースプールを選択するとともに、少なくとも１つの選択リソースプールから少なくとも１つのリソースを選択して少なくとも１つのパケットを送信し、少なくとも１つのパケットの優先順位が、少なくとも１つのパケットの論理チャネルの優先順位または少なくとも１つのパケットの上位レイヤの優先順位により示される、（１）に記載のユーザ機器。
【００９２】
（４）．リソースセレクタが、少なくとも１つのリソースプールが同じ優先順位を有する場合に、少なくとも１つのリソースプールの利用可能なリソースの時間系列に基づいて、少なくとも１つのリソースプールから少なくとも１つのリソースを選択する、（１）に記載のユーザ機器。
【００９３】
（５）．リソースセレクタが、少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択する、（１）に記載のユーザ機器。
【００９４】
（６）．ユーザ機器が同時に受信および送信可能でない場合に、ユーザ機器の受信または送信を判定する受信／送信判定器をさらに備えた、（１）に記載のユーザ機器。
【００９５】
（７）．受信／送信判定器が、ユーザ機器が同時に受信および送信可能でない場合に、送信が受信の優先順位よりも高い優先順位を有するものと判定するように構成された、（６）に記載のユーザ機器。
【００９６】
（８）．受信／送信優先順位判定器が、少なくとも１つのリソースプールの優先順位または少なくとも１つのパケットの優先順位と組み合わされた少なくとも１つのリソースプールの優先順位に従って、受信または送信を判定する、（６）に記載のユーザ機器。
【００９７】
（９）．少なくとも１つのリソースプールの優先順位および少なくとも１つのパケットの優先順位の少なくとも一方に従って、電力を少なくとも１つのリソースプールに割り当てる電力割り当て器をさらに備えた、（１）に記載のユーザ機器。
【００９８】
（１０）．少なくとも１つのリソースプールのＣＢＲおよび優先順位に基づいて、少なくとも１つのリソースプールの電力制限を決定する電力制限決定器をさらに備えた、（１）に記載のユーザ機器。
【００９９】
（１１）．ユーザ機器自律スケジューリング方式で動作する、（１）に記載のユーザ機器。
【０１００】
（１２）．ユーザ機器（ＵＥ）により、サイドリンクにおいて少なくとも１つのパケットを送信するために少なくとも１つのリソースを複数のキャリアにまたがって選択する方法であって、
センシングウィンドウ内で複数のキャリアの複数のリソースプールをセンシングし、センシング結果を得ることであり、センシングウィンドウの長さが設定可能または事前設定可能である、複数のリソースプールをセンシングし、センシング結果を得ることと、
センシング結果に従って、リソース選択ウィンドウ内で複数のキャリアの複数の利用可能なリソースを取得することであり、複数の利用可能なリソースが、リソース選択ウィンドウで複数のキャリアの少なくとも１つのリソースプールに含まれており、リソース選択ウィンドウの長さが、所望のレイテンシに従って決定される、複数の利用可能なリソースを取得することと、
少なくとも１つの利用可能なリソースプールの優先順位および少なくとも１つのパケットの優先順位の少なくとも一方に従って、リソース選択ウィンドウ内で複数のキャリアの複数の利用可能なリソースから少なくとも１つのリソースを選択することと、
選択した少なくとも１つのリソース上で少なくとも１つのパケットを送信することと、
を含む、方法。
【０１０１】
（１３）．センシング結果に従って、リソース選択ウィンドウ内で複数のキャリアの複数の利用可能なリソースを取得するステップが、
ユーザ機器がサイドリンクにおいて同時に受信および送信可能であるかについてのユーザ機器の能力に基づいて、センシングウィンドウ内の非モニタリングリソースを決定することを含み、
ユーザ機器が同時に受信および送信可能でない場合、ユーザ機器がサイドリンクにおいて同時に受信および送信可能であるかについてのユーザ機器の能力に基づいて、センシングウィンドウ内の非モニタリングリソースを決定するステップが、
あるサブフレームにおけるセンシングウィンドウ内の第２のキャリアの第２のリソースが送信に用いられる場合、同じサブフレームにおけるセンシングウィンドウ内の第１のキャリアの第１のリソースを利用不可能なリソースとして決定することを含む、（１２）に記載の方法。
【０１０２】
（１４）．少なくとも１つの利用可能なリソースプールの優先順位および少なくとも１つのパケットの優先順位の少なくとも一方に従って、リソース選択ウィンドウ内で複数のキャリアの複数の利用可能なリソースから少なくとも１つのリソースを選択するステップが、
少なくとも１つのリソースプールの優先順位と少なくとも１つのパケットの優先順位との関係に従ってリソースプールを選択することであり、少なくとも１つの選択リソースプールとして、少なくとも１つのパケットの優先順位よりも優先順位が高くないリソースプールが選択される、リソースプールを選択することと、
少なくとも１つの選択リソースプールから少なくとも１つのリソースを選択して少なくとも１つのパケットを送信することと、
を含み、
少なくとも１つのパケットの優先順位が、少なくとも１つのパケットの論理チャネルの優先順位または少なくとも１つのパケットの上位レイヤの優先順位により示される、（１２）に記載の方法。
【０１０３】
（１５）．少なくとも１つの利用可能なリソースプールの優先順位および少なくとも１つのパケットの優先順位の少なくとも一方に従って、リソース選択ウィンドウ内で複数のキャリアの複数の利用可能なリソースから少なくとも１つのリソースを選択するステップが、
少なくとも１つのリソースプールが同じ優先順位を有する場合に、少なくとも１つのリソースプールの利用可能なリソースの時間系列に基づいて、少なくとも１つの選択リソースプールから少なくとも１つのリソースを選択することを含む、（１２）に記載の方法。
【０１０４】
（１６）．少なくとも１つの利用可能なリソースプールの優先順位および少なくとも１つのパケットの優先順位の少なくとも一方に従って、リソース選択ウィンドウ内で複数のキャリアの複数の利用可能なリソースから少なくとも１つのリソースを選択するステップが、
少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択することを含む、（１２）に記載の方法。
【０１０５】
（１７）．ユーザ機器が同時に受信および送信可能でない場合に、ユーザ機器の受信または送信を判定することをさらに含む、（１２）に記載の方法。
【０１０６】
（１８）．ユーザ機器が同時に受信および送信可能でない場合に、ユーザ機器の受信または送信の優先順位を判定するステップが、
ユーザ機器が同時に受信および送信可能でない場合に、送信が受信の優先順位よりも高い優先順位を有するものと判定することを含む、（１７）に記載の方法。
【０１０７】
（１９）．ユーザ機器が同時に受信および送信可能でない場合に、ユーザ機器の受信または送信を判定するステップが、
少なくとも１つのリソースプールの優先順位または少なくとも１つのパケットの優先順位と組み合わされた少なくとも１つのリソースプールの優先順位に従って、受信および送信を判定することを含む、（１７）に記載の方法。
【０１０８】
（２０）．少なくとも１つのリソースプールの優先順位および少なくとも１つのパケットの優先順位の少なくとも一方に従って、電力を少なくとも１つのリソースプールに割り当てることをさらに含む、（１２）に記載の方法。
【０１０９】
（２１）．少なくとも１つのリソースプールのＣＢＲおよび優先順位に基づいて、少なくとも１つのリソースプールの電力制限を決定することをさらに含む、（１２）に記載の方法。
【０１１０】
（２２）．ユーザ機器が、ユーザ機器自律スケジューリング方式で動作する、（１２）に記載の方法。
【０１１１】
（２３）．サイドリンクにおいて少なくとも１つのパケットを送信するために少なくとも１つのリソースを複数のキャリアにまたがって選択するユーザ機器（ＵＥ）であって、
センシングウィンドウ内で複数のキャリアの複数のリソースプールをセンシングし、センシング結果を得るセンサであり、センシングウィンドウの長さが設定可能または事前設定可能である、センサと、
センシング結果に基づいて、リソース選択ウィンドウ内で複数のキャリアの複数の利用可能なリソースから少なくとも１つのリソースを選択するリソースセレクタであり、リソースセレクタが、ユーザ機器がサイドリンクにおいて同時に受信および送信可能であるかについてのユーザ機器の能力に基づいて、センシングウィンドウ内の非モニタリングリソースを決定するように動作し、ユーザ機器が同時に受信および送信可能でない場合、あるサブフレームにおけるセンシングウィンドウ内の第２のキャリアの第２のリソースが送信に用いられる場合には、同じサブフレームにおけるセンシングウィンドウ内の第１のキャリアの第１のリソースが非モニタリングリソースとして決定され、リソース選択ウィンドウの長さが、所望のレイテンシに従って決定され、リソース選択ウィンドウ内で複数のキャリアの複数の利用可能なリソースから少なくとも１つのリソースを選択する、リソースセレクタと、
リソースセレクタにより選択された少なくとも１つのリソース上で少なくとも１つのパケットを送信する送信機と、
を備えた、ユーザ機器。
【０１１２】
（２４）．リソースセレクタが、少なくとも１つのリソースプールの優先順位と少なくとも１つのパケットの優先順位との関係に従ってリソースプールを選択するように動作し、リソースセレクタが、少なくとも１つの選択リソースプールとして、少なくとも１つのパケットの優先順位よりも優先順位が高くないリソースプールを選択するとともに、少なくとも１つの選択リソースプールから少なくとも１つのリソースを選択して少なくとも１つのパケットを送信し、少なくとも１つのパケットの優先順位が、少なくとも１つのパケットの論理チャネルの優先順位または少なくとも１つのパケットの上位レイヤの優先順位により示される、（２３）に記載のユーザ機器。
【０１１３】
（２５）．リソースセレクタが、少なくとも１つのリソースプールが同じ優先順位を有する場合に、少なくとも１つのリソースプールの利用可能なリソースの時間系列に基づいて、少なくとも１つのリソースプールから少なくとも１つのリソースを選択する、（２３）に記載のユーザ機器。
【０１１４】
（２６）．リソースセレクタが、少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択する、（２３）に記載のユーザ機器。
【０１１５】
（２７）．ユーザ機器が同時に受信および送信可能でない場合に、ユーザ機器の受信または送信を判定する受信／送信判定器をさらに備えた、（２３）に記載のユーザ機器。
【０１１６】
（２８）．受信／送信判定器が、ユーザ機器が同時に受信および送信可能でない場合に、送信が受信の優先順位よりも高い優先順位を有するものと判定する、（２７）に記載のユーザ機器。
【０１１７】
（２９）．受信／送信判定器が、少なくとも１つのリソースプールの優先順位または少なくとも１つのパケットの優先順位と組み合わされた少なくとも１つのリソースプールの優先順位に従って、受信または送信を判定する、（２７）に記載のユーザ機器。
【０１１８】
（３０）．少なくとも１つのリソースプールの優先順位および少なくとも１つのパケットの優先順位の少なくとも一方に従って、電力を少なくとも１つのリソースプールに割り当てる電力割り当て器をさらに備えた、（２３）に記載のユーザ機器。
【０１１９】
（３１）．少なくとも１つのリソースプールのＣＢＲおよび優先順位に基づいて、少なくとも１つのリソースプールの電力制限を決定する電力制限決定器をさらに備えた、（２３）に記載のユーザ機器。
【０１２０】
（３２）．ＵＥ自律スケジューリング方式で動作する、（２３）に記載のユーザ機器。
【０１２１】
（３３）．ユーザ機器（ＵＥ）により、サイドリンクにおいて少なくとも１つのパケットを送信するために少なくとも１つのリソースを複数のキャリアにまたがって選択する方法であって、
センシングウィンドウ内で複数のキャリアの複数のリソースプールをセンシングし、センシング結果を得ることであり、センシングウィンドウの長さが設定可能または事前設定可能である、複数のリソースプールをセンシングし、センシング結果を得ることと、
センシング結果に従って、リソース選択ウィンドウ内で複数のキャリアの複数の利用可能なリソースを取得することであり、リソース選択ウィンドウの長さが、所望のレイテンシに従って決定される、複数の利用可能なリソースを取得することと、ユーザ機器がサイドリンクにおいて同時に受信および送信可能であるかについてのユーザ機器の能力に基づいて、センシングウィンドウ内の非モニタリングリソースを決定することであり、ユーザ機器が同時に受信および送信可能でない場合、ユーザ機器がサイドリンクにおいて同時に受信および送信可能であるかについてのユーザ機器の能力に基づいて、センシングウィンドウ内の非モニタリングリソースを決定するステップが、
あるサブフレームにおけるセンシングウィンドウ内の第２のキャリアの第２のリソースが送信に用いられる場合、同じサブフレームにおけるセンシングウィンドウ内の第１のキャリアの第１のリソースを非モニタリングリソースとして決定することと、
リソース選択ウィンドウ内で複数のキャリアの複数の利用可能なリソースから少なくとも１つのリソースを選択することと、
少なくとも１つのリソース上で少なくとも１つのパケットを送信することと、
を含む、方法。
【０１２２】
（３４）．リソース選択ウィンドウ内で複数のキャリアの複数の利用可能なリソースから少なくとも１つのリソースを選択するステップが、
少なくとも１つのリソースプールの優先順位と少なくとも１つのパケットの優先順位との関係に従ってリソースプールを選択することであり、少なくとも１つの選択リソースプールとして、少なくとも１つのパケットの優先順位よりも優先順位が高くないリソースプールが選択される、リソースプールを選択することと、
少なくとも１つの選択リソースプールから少なくとも１つのリソースを選択して少なくとも１つのパケットを送信することと、
少なくとも１つのパケットの優先順位が、少なくとも１つのパケットの論理チャネルの優先順位または少なくとも１つのパケットの上位レイヤの優先順位により示される、（３３）に記載の方法。
【０１２３】
（３５）．リソース選択ウィンドウ内で複数のキャリアの複数の利用可能なリソースから少なくとも１つのリソースを選択するステップが、
少なくとも１つのリソースプールが同じ優先順位を有する場合に、少なくとも１つのリソースプールの利用可能なリソースの時間系列に基づいて、少なくとも１つの選択リソースプールから少なくとも１つのリソースを選択することを含む、（３３）に記載の方法。
【０１２４】
（３６）．リソース選択ウィンドウ内で複数のキャリアの複数の利用可能なリソースから少なくとも１つのリソースを選択するステップが、
少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択することを含む、（３３）に記載の方法。
【０１２５】
（３７）．ユーザ機器が同時に受信および送信可能でない場合に、ユーザ機器の受信または送信を判定することをさらに含む、（３３）に記載の方法。
【０１２６】
（３８）．ユーザ機器が同時に受信および送信可能でない場合に、ユーザ機器の受信または送信を判定するステップが、
ユーザ機器が同時に受信および送信可能でない場合に、送信が受信の優先順位よりも高い優先順位を有するものと判定することを含む、（３７）に記載の方法。
【０１２７】
（３９）．ユーザ機器が同時に受信および送信可能でない場合に、ユーザ機器の受信または送信を判定するステップが、
少なくとも１つのリソースプールの優先順位または少なくとも１つのパケットの優先順位と組み合わされた少なくとも１つのリソースプールの優先順位に従って、受信または送信を判定することを含む、（３７）に記載の方法。
【０１２８】
（４０）．少なくとも１つのリソースプールの優先順位および少なくとも１つのパケットの優先順位の少なくとも一方に従って、電力を少なくとも１つのリソースプールに割り当てることをさらに含む、（３３）に記載の方法。
【０１２９】
（４１）．少なくとも１つのリソースプールのＣＢＲおよび優先順位に基づいて、少なくとも１つのリソースプールの電力制限を決定することをさらに含む、（３３）に記載の方法。
【０１３０】
（４２）．ユーザ機器が、ＵＥ自律スケジューリング方式で動作する、（３３）に記載の方法。
【０１３１】
（４３）．サイドリンクにおいて少なくとも１つのパケットを送信するために少なくとも１つのリソースを複数のキャリアにまたがって選択するユーザ機器（ＵＥ）であって、
センシングウィンドウ内で複数のキャリアの複数のリソースプールをセンシングし、センシング結果を得るセンサであり、センシングウィンドウの長さが設定可能または事前設定可能である、センサと、
センシング結果に従って、リソース選択ウィンドウ内で複数のキャリアの複数の利用可能なリソースを取得するリソースセレクタであり、リソース選択ウィンドウの長さが、所望のレイテンシに従って決定される、リソースセレクタと、
ユーザ機器が同時に受信および送信可能でない場合に、ユーザ機器の受信または送信を判定する受信／送信判定器と、
リソースセレクタにより選択された少なくとも１つのリソース上で少なくとも１つのパケットを送信する送信機と、
を備えた、ユーザ機器。
【０１３２】
（４４）．リソースセレクタが、ユーザ機器がサイドリンクにおいて同時に受信および送信可能であるかについてのユーザ機器の能力に基づいて、センシングウィンドウ内の非モニタリングリソースを決定するように動作し、ユーザ機器が同時に受信および送信可能でない場合、あるサブフレームにおけるセンシングウィンドウ内の第２のキャリアの第２のリソースが送信に用いられる場合には、同じサブフレームにおけるセンシングウィンドウ内の第１のキャリアの第１のリソースが非モニタリングリソースとして決定される、（４３）に記載のユーザ機器。
【０１３３】
（４５）．リソースセレクタが、少なくとも１つのリソースプールの優先順位と少なくとも１つのパケットの優先順位との関係に従ってリソースプールを選択するように動作し、リソースセレクタが、少なくとも１つの選択リソースプールとして、少なくとも１つのパケットの優先順位よりも優先順位が高くないリソースプールを選択するとともに、少なくとも１つの選択リソースプールから少なくとも１つのリソースを選択して少なくとも１つのパケットを送信し、少なくとも１つのパケットの優先順位が、少なくとも１つのパケットの論理チャネルの優先順位または少なくとも１つのパケットの上位レイヤの優先順位により示される、（４３）に記載のユーザ機器。
【０１３４】
（４６）．リソースセレクタが、少なくとも１つのリソースプールが同じ優先順位を有する場合に、少なくとも１つのリソースプールの利用可能なリソースの時間系列に基づいて、少なくとも１つのリソースプールから少なくとも１つのリソースを選択する、（４３）に記載のユーザ機器。
【０１３５】
（４７）．リソースセレクタが、少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択する、（４３）に記載のユーザ機器。
【０１３６】
（４８）．受信／送信判定器が、ユーザ機器が同時に受信および送信可能でない場合に、送信が受信の優先順位よりも高い優先順位を有するものと判定するように構成された、（４３）に記載のユーザ機器。
【０１３７】
（４９）．受信／送信判定器が、少なくとも１つのリソースプールの優先順位または少なくとも１つのパケットの優先順位と組み合わされた少なくとも１つのリソースプールの優先順位に従って、受信または送信を判定する、（４３）に記載のユーザ機器。
【０１３８】
（５０）．少なくとも１つのリソースプールの優先順位および少なくとも１つのパケットの優先順位の少なくとも一方に従って、電力を少なくとも１つのリソースプールに割り当てる電力割り当て器をさらに備えた、（４３）に記載のユーザ機器。
【０１３９】
（５１）．少なくとも１つのリソースプールのＣＢＲおよび優先順位に基づいて、少なくとも１つのリソースプールの電力制限を決定する電力制限決定器をさらに備えた、（４３）に記載のユーザ機器。
【０１４０】
（５２）．ＵＥ自律スケジューリング方式で動作する、（４３）に記載のユーザ機器。
【０１４１】
（５３）．ユーザ機器（ＵＥ）により、サイドリンクにおいて少なくとも１つのパケットを送信するために少なくとも１つのリソースを複数のキャリアにまたがって選択する方法であって、
センシングウィンドウ内で複数のキャリアの複数のリソースプールをセンシングし、センシング結果を得ることであり、センシングウィンドウの長さが設定可能または事前設定可能である、複数のリソースプールをセンシングし、センシング結果を得ることと、
センシング結果に従って、リソース選択ウィンドウ内で複数のキャリアの複数の利用可能なリソースを取得することであり、複数の利用可能なリソースが、リソース選択ウィンドウで複数のキャリアの少なくとも１つのリソースプールに含まれており、リソース選択ウィンドウの長さが、所望のレイテンシに従って決定される、複数の利用可能なリソースを取得することと、
リソース選択ウィンドウ内で複数のキャリアの複数の利用可能なリソースから少なくとも１つのリソースを選択することと、
ユーザ機器が同時に受信および送信可能でない場合に、ユーザ機器の受信または送信を判定することと、
少なくとも１つのリソース上で少なくとも１つのパケットを送信することと、
を含む、方法。
【０１４２】
（５４）．センシング結果に従って、リソース選択ウィンドウ内で複数のキャリアの複数の利用可能なリソースを取得するステップが、ユーザ機器がサイドリンクにおいて同時に受信および送信可能であるかについてのユーザ機器の能力に基づいて、センシングウィンドウ内の非モニタリングリソースを決定することを含み、
ユーザ機器が同時に受信および送信可能でない場合、ユーザ機器がサイドリンクにおいて同時に受信および送信可能であるかについてのユーザ機器の能力に基づいて、センシングウィンドウ内の非モニタリングリソースを決定するステップが、
あるサブフレームにおけるセンシングウィンドウ内の第２のキャリアの第２のリソースが送信に用いられる場合、同じサブフレームにおけるセンシングウィンドウ内の第１のキャリアの第１のリソースを非モニタリングリソースとして決定することを含む、（５３）に記載の方法。
【０１４３】
（５５）．リソース選択ウィンドウ内で複数のキャリアの複数の利用可能なリソースから少なくとも１つのリソースを選択するステップが、
少なくとも１つのリソースプールの優先順位と少なくとも１つのパケットの優先順位との関係に従ってリソースプールを選択することであり、少なくとも１つの選択リソースプールとして、少なくとも１つのパケットの優先順位よりも優先順位が高くないリソースプールが選択される、リソースプールを選択することと、
少なくとも１つの選択リソースプールから少なくとも１つのリソースを選択して少なくとも１つのパケットを送信することと、
少なくとも１つのパケットの優先順位が、少なくとも１つのパケットの論理チャネルの優先順位または少なくとも１つのパケットの上位レイヤの優先順位により示される、（５３）に記載の方法。
【０１４４】
（５６）．リソース選択ウィンドウ内で複数のキャリアの複数の利用可能なリソースから少なくとも１つのリソースを選択するステップが、
少なくとも１つのリソースプールが同じ優先順位を有する場合に、少なくとも１つのリソースプールの利用可能なリソースの時間系列に基づいて、少なくとも１つの選択リソースプールから少なくとも１つのリソースを選択することを含む、（５３）に記載の方法。
【０１４５】
（５７）．リソース選択ウィンドウ内で複数のキャリアの複数の利用可能なリソースから少なくとも１つのリソースを選択するステップが、
少なくとも１つのリソースプールが同じ優先順位を有する場合に、少なくとも１つのリソースプールのチャネルビジー率（ＣＢＲ）およびチャネル占有率（ＣＲ）の少なくとも一方に基づいて、少なくとも１つのリソースプールから少なくとも１つのリソースを選択することを含む、（５３）に記載の方法。
【０１４６】
（５８）．ユーザ機器が同時に受信および送信可能でない場合に、ユーザ機器の受信または送信を判定するステップが、
ユーザ機器が同時に受信および送信可能でない場合に、送信が受信の優先順位よりも高い優先順位を有するものと判定することを含む、（５３）に記載の方法。
【０１４７】
（５９）．ユーザ機器が同時に受信および送信可能でない場合に、ユーザ機器の受信または送信を判定するステップが、
少なくとも１つのリソースプールの優先順位または少なくとも１つのパケットの優先順位と組み合わされた少なくとも１つのリソースプールの優先順位に従って、受信または送信を判定することを含む、（５３）に記載の方法。
【０１４８】
（６０）．少なくとも１つのリソースプールの優先順位および少なくとも１つのパケットの優先順位の少なくとも一方に従って、電力を少なくとも１つのリソースプールに割り当てることをさらに含む、（５３）に記載の方法。
【０１４９】
（６１）．少なくとも１つのリソースプールのＣＢＲおよび優先順位に基づいて、少なくとも１つのリソースプールの電力制限を決定することをさらに含む、（５３）に記載の方法。
【０１５０】
（６２）．ユーザ機器が、ＵＥ自律スケジューリング方式で動作する、（５３）に記載の方法。
【０１５１】
本開示は、ソフトウェア、ハードウェア、またはハードウェアと協働するソフトウェアにより実現可能である。上述の各実施形態の説明に使用した各機能ブロックは、集積回路等のＬＳＩにより一部または全部を実現可能であり、各実施形態の記載の各プロセスは、同じＬＳＩまたはＬＳＩの組み合わせにより一部または全部が制御されるようになっていてもよい。ＬＳＩは、個別にチップとして形成されていてもよいし、１つのチップが機能ブロックの一部または全部を含むように形成されていてもよい。ＬＳＩは、データ入力・出力が結合されていてもよい。ここで、ＬＳＩは、集積度の違いに応じて、ＩＣ、システムＬＳＩ、スーパーＬＳＩ、またはウルトラＬＳＩと称し得る。ただし、集積回路を実装する技術はＬＳＩに限定されず、個別回路、汎用プロセッサ、または専用プロセッサを用いることにより実現されるようになっていてもよい。また、ＬＳＩの製造後にプログラム可能なＦＰＧＡ（フィールドプログラマブルゲートアレイ）またはＬＳＩの内側に配設された回路セルの接続および設定を再構成可能なリコンフィギャラブルプロセッサが用いられるようになっていてもよい。本開示は、デジタル処理またはアナログ処理として実現可能である。半導体技術または他の派生技術の進歩の結果として将来の集積回路技術がＬＳＩを置き換える場合、機能ブロックは、その将来の集積回路技術を用いて統合することも可能である。バイオ技術を適用することも可能である。
【０１５２】
以上、特定の実施形態に関する添付の図面を参照して、本開示の複数の実施形態の例を詳細に説明した。当然、構成要素または技術の考え得るすべての組み合わせを説明することは不可能なため、当業者には当然のことながら、本開示の範囲から逸脱することなく、上述の実施形態を種々改良可能である。たとえば、ごく当然のことながら、上記実施形態は、第３世代パートナーシッププロジェクト（３ＧＰＰ）ネットワークの一部を参照して説明しているが、３ＧＰＰネットワークの後継等、同様の機能的構成要素を有する同様のネットワークにも本開示の一実施形態を適用可能となる。
【０１５３】
したがって、特に、現下または将来において上記説明、添付の図面、および添付の任意の請求項に使用する３ＧＰＰという用語および関係または関連する用語は、上記に応じて解釈されるものとする。
【０１５４】
本開示は、ソフトウェア、ハードウェア、またはハードウェアと協働するソフトウェアにより実現可能である。上述の各実施形態の説明に使用した各機能ブロックは、集積回路としてのＬＳＩにより実現可能であり、各実施形態に記載の各プロセスがＬＳＩにより制御されるようになっていてもよい。これらは、個別にチップとして形成されていてもよいし、１つのチップが機能ブロックの一部または全部を含むように形成されていてもよい。これらは、データ入力・出力が結合されていてもよい。ここで、ＬＳＩは、集積度の違いに応じて、ＩＣ、システムＬＳＩ、スーパーＬＳＩ、またはウルトラＬＳＩと称し得る。ただし、集積回路を実装する技術はＬＳＩに限定されず、個別回路または汎用プロセッサを用いることにより実現されるようになっていてもよい。また、ＬＳＩの製造後にプログラム可能なＦＰＧＡ（フィールドプログラマブルゲートアレイ）またはＬＳＩの内側に配設された回路セルの接続および設定を再構成可能なリコンフィギャラブルプロセッサが用いられるようになっていてもよい。
【０１５５】
とりわけ、上記説明および関連する図面に提示の教示内容の利益を有する当業者であれば、本開示の改良および他の実施形態に想到し得る。したがって、本開示は、開示の特定の実施形態に限定されず、改良および他の実施形態が本開示の範囲に含まれるものと理解すべきである。本明細書では特定の用語を採用する場合があるものの、これらは、一般的な説明の意味で使用しているに過ぎず、何ら限定を目的としたものではない。
【図１】
2020519040.tif 000003
【図２】
2020519040.tif 000004
【図３】
2020519040.tif 000005
【図４】
2020519040.tif 000006
【図５】
2020519040.tif 000007
【図６】
2020519040.tif 000008
【図７】
2020519040.tif 000009
【図８】
2020519040.tif 000010
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
複数のチャネルビジー率（ＣＢＲ）及び複数のチャネル占有率（ＣＲ）の少なくとも１つに基づき、少なくとも複数のキャリアの複数のリソースプールの少なくとも１つのリソースプールを選択し、前記複数のＣＢＲの各々は前記複数のリソースプールの各々のＣＢＲを示し、前記複数のＣＲの各々は前記複数のリソースプールの各々のＣＲを示す、制御回路と、
前記少なくとも１つのリソースプール内の少なくとも１つのリソースを用いて少なくとも１つのパケットを送信する送信機と、
を具備する通信装置。
【請求項２】
前記少なくとも１つのリソースプールは最も低いＣＢＲから順番に選択される、
請求項１に記載の通信装置。
【請求項３】
前記少なくとも１つのリソースプールは最も低いＣＲから順番に選択される、
請求項１に記載の通信装置。
【請求項４】
前記少なくとも１つのリソースは、前記少なくとも１つのリソースプールから、受信信号強度インジケータ（ＲＳＳＩ）に基づいて選択される、
請求項１に記載の通信装置。
【請求項５】
前記少なくとも１つのリソースは、前記通信装置がモニターしないリソースを除いたリソースから選択される、
請求項１に記載の通信装置。
【請求項６】
複数のチャネルビジー率（ＣＢＲ）及び複数のチャネル占有率（ＣＲ）の少なくとも１つに基づき、少なくとも複数のキャリアの複数のリソースプールの少なくとも１つのリソースプールを選択し、前記複数のＣＢＲの各々は前記複数のリソースプールの各々のＣＢＲを示し、前記複数のＣＲの各々は前記複数のリソースプールの各々のＣＲを示し、
前記少なくとも１つのリソースプール内の少なくとも１つのリソースを用いて少なくとも１つのパケットを送信する、
通信方法。
【請求項７】
前記少なくとも１つのリソースプールは最も低いＣＢＲから順番に選択される、
請求項６に記載の通信方法。
【請求項８】
前記少なくとも１つのリソースプールは最も低いＣＲから順番に選択される、
請求項６に記載の通信方法。
【請求項９】
前記少なくとも１つのリソースは、前記少なくとも１つのリソースプールから、受信信号強度インジケータ（ＲＳＳＩ）に基づいて選択される、
請求項６に記載の通信方法。
【請求項１０】
前記少なくとも１つのリソースは、通信装置がモニターしないリソースを除いたリソースから選択される、
請求項６に記載の通信方法。
【請求項１１】
複数のチャネルビジー率（ＣＢＲ）及び複数のチャネル占有率（ＣＲ）の少なくとも１つに基づき、少なくとも複数のキャリアの複数のリソースプールの少なくとも１つのリソースプールを選択し、前記複数のＣＢＲの各々は前記複数のリソースプールの各々のＣＢＲを示し、前記複数のＣＲの各々は前記複数のリソースプールの各々のＣＲを示す、処理と、
前記少なくとも１つのリソースプール内の少なくとも１つのリソースを用いて少なくとも１つのパケットを送信する処理と、を制御する、
集積回路。
【国際調査報告】
2020519040.tif 000011
2020519040.tif 000012
2020519040.tif 000013